(57)【要約】【課題】廃トナーが支持軸付近に堆積するのを確実に防止することができる転写装置およびこれを備える画像形成装置を提供すること。【解決手段】中間転写装置７は、中間転写ベルト１１と、中間転写ベルト１１に残留するトナーを除去するクリーニング装置４０とを備えたものである。クリーニング装置４０は、中間転写ベルト１１に当接した状態で中間転写ベルト１１からトナーを除去するクリーニングブレード４１と、クリーニングブレード４１を回動可能に支持する支持軸４３と、クリーニングブレード４１と支持軸４３とを連結する連結部材４２と、支持軸４３を回動する駆動機構５０とを有し、支持軸４３を回動させることにより、クリーニングブレード４１が中間転写ベルト１１に対して当接・離間するよう構成されており、支持軸４３および連結部材４２には、廃トナーが通過し得る開口部４４および４５が設けられている。【選択図】図２
2006267232.tif 000002
【特許請求の範囲】
【請求項１】
トナー像を担持するトナー像担持体と、該担持されたトナー像を転写した前記トナー像担持体から、当該トナー像担持体に残留するトナーを除去するクリーニング手段とを備えた転写装置であって、
前記クリーニング手段は、
前記トナー像担持体に当接した状態で該トナー像担持体から前記トナーを除去するクリーニングブレードと、
前記クリーニングブレードを回動可能に支持する支持軸と、
前記クリーニングブレードと前記支持軸とを連結する連結部材と、
前記支持軸を回動する駆動機構とを有し、
前記支持軸を回動させることにより、前記クリーニングブレードが前記トナー像担持体に対して当接・離間するよう構成されており、
前記支持軸および／または前記連結部材には、廃トナーが通過し得る開口部が設けられていることを特徴とする転写装置。
【請求項２】
前記支持軸は、前記開口部を有する請求項１に記載の転写装置。
【請求項３】
前記連結部材は、前記支持軸の軸方向に沿って分散配置された複数の前記開口部を有する請求項１または２に記載の転写装置。
【請求項４】
前記開口部は、その形状がスリット状をなしている請求項１ないし３のいずれかに記載の転写装置。
【請求項５】
前記支持軸は、形状が筒状をなすものである請求項１ないし４のいずれかに記載の転写装置。
【請求項６】
前記支持軸は、横断面形状がコ字状をなすコ字状部材を２つ有し、これらを組立てた組立状態で形状がほぼ筒状をなすよう構成されている請求項１ないし５のいずれかに記載の転写装置。
【請求項７】
前記組立状態の前記２つのコ字状部材は、互いにネジにより接合されており、該ネジの頭部は、前記２つのコ字状部材に対し前記トナー像担持体から遠位側に位置する請求項６に記載の転写装置。
【請求項８】
前記連結部材は、その前記支持軸側の端部が前記トナー像担持体から遠ざかる方向に、湾曲または屈曲している請求項１ないし７のいずれかに記載の転写装置。
【請求項９】
前記支持軸の下方には、前記廃トナーを収容する廃トナー収容部が設けられている請求項１ないし８のいずれかに記載の転写装置。
【請求項１０】
前記支持軸は、前記開口部と、内部に前記開口部から入った前記廃トナーを蓄積する蓄積部とを有する請求項１ないし９のいずれかに記載の転写装置。
【請求項１１】
請求項１ないし１０のいずれかに記載の転写装置を備えたことを特徴とする画像形成装置。
【発明の詳細な説明】
【技術分野】
【０００１】
本発明は、転写装置および画像形成装置に関する。
【背景技術】
【０００２】
電子写真方式を採用するコピー、プリンタなどの画像形成装置は、帯電工程、露光工程、現像工程、転写工程、定着工程などの一連の画像形成プロセスによって、紙などの記録媒体上に、トナーからなる画像を形成する。
転写工程では、トナー像担持体（中間転写体）に担持されたトナー像を被転写体に転写することが行なわれる。また、トナー像担持体のトナー像に転写した後、当該トナー担持体には、転写に寄与しなかったトナーが不可避的に残留することになる。このため、残留したトナーをトナー像担持体から除去する必要がある。従来、残留したトナーを除去するクリーニング装置を有する画像形成装置として、例えば、特許文献１に記載されているものが知られている。
【０００３】
図９に示すように、従来のクリーニング装置１００（画像形成装置）は、中間転写体ベルト１１０に当接した状態で残留トナーを掻き落とす（除去する）クリーニングブレード１３０と、クリーニングブレード１３０を回動可能にするカム機構（支持軸）１５０と、クリーニングブレード１３０とカム機構１５０とを連結するブレード支持部材１４０とを有している。このようなクリーニング装置１００は、カム機構１５０の作動（回動）により、クリーニングブレード１３０が中間転写体ベルト１１０に対して当接・離間するよう構成されている。
【０００４】
しかしながら、クリーニング装置１００では、カム機構１５０が、クリーニングブレード１３０と中間転写体ベルト１１０との当接する位置（以下、この位置を「当接位置」という）よりも中間転写体ベルト１１０の回転方向（移動方向）の下流側に位置することや、当接位置よりも下方に位置することが原因となり、廃トナー（除去したトナー）がカム機構１５０上に堆積する場合という問題があった。また、この場合、堆積した廃トナーが、例えばクリーニング装置１００の震動により飛散して、中間転写体ベルト１１０へ再付着し、当該転写体ベルトを汚染することがあるという問題もあった。
【０００５】
【特許文献１】特開２００４−１５７２８５号公報
【発明の開示】
【発明が解決しようとする課題】
【０００６】
本発明の目的は、廃トナーが支持軸付近に堆積するのを確実に防止することができる転写装置およびこれを備える画像形成装置を提供することにある。
【課題を解決するための手段】
【０００７】
このような目的は、下記の本発明により達成される。
本発明の転写装置は、トナー像を担持するトナー像担持体と、該担持されたトナー像を転写した前記トナー像担持体から、当該トナー像担持体に残留するトナーを除去するクリーニング手段とを備えた転写装置であって、
前記クリーニング手段は、
前記トナー像担持体に当接した状態で該トナー像担持体から前記トナーを除去するクリーニングブレードと、
前記クリーニングブレードを回動可能に支持する支持軸と、
前記クリーニングブレードと前記支持軸とを連結する連結部材と、
前記支持軸を回動する駆動機構とを有し、
前記支持軸を回動させることにより、前記クリーニングブレードが前記トナー像担持体に対して当接・離間するよう構成されており、
前記支持軸および／または前記連結部材には、廃トナーが通過し得る開口部が設けられていることを特徴とする。
これにより、廃トナーが支持軸付近に堆積するのを確実に防止することができ、よって、廃トナーがトナー像担持体に再付着するのを防止することができる。
【０００８】
本発明の転写装置では、前記支持軸は、前記開口部を有することが好ましい。
これにより、廃トナーが支持軸に堆積するのを確実に防止することができる。
本発明の転写装置では、前記連結部材は、前記支持軸の軸方向に沿って分散配置された複数の前記開口部を有することが好ましい。
これにより、廃トナーが支持軸付近に堆積するのを確実に防止することができる。
【０００９】
本発明の転写装置では、前記開口部は、その形状がスリット状をなしていることが好ましい。
これにより、廃トナーが支持軸付近に堆積するのをより確実に防止することができる。
本発明の転写装置では、前記支持軸は、形状が筒状をなすものであることが好ましい。
これにより、例えばトナー像担持体に対するクリーニングブレードの当接・離間に伴なう、支持軸の捩れに対する強度を確保することができる。
【００１０】
本発明の転写装置では、前記支持軸は、横断面形状がコ字状をなすコ字状部材を２つ有し、これらを組立てた組立状態で形状がほぼ筒状をなすよう構成されていることが好ましい。
これにより、各コ字状部材に対する加工がし易くなり、よって、当該各コ字状部材に開口部を容易に形成（加工）することができる。
【００１１】
本発明の転写装置では、前記組立状態の前記２つのコ字状部材は、互いにネジにより接合されており、該ネジの頭部は、前記２つのコ字状部材に対し前記トナー像担持体から遠位側に位置することが好ましい。
これにより、廃トナーが頭部に付着して、当該頭部の周辺に廃トナーが堆積することを防止することができる。
【００１２】
本発明の転写装置では、前記連結部材は、その前記支持軸側の端部が前記トナー像担持体から遠ざかる方向に、湾曲または屈曲していることが好ましい。
これにより、廃トナーが支持軸付近に堆積するのをより確実に防止することができる。
本発明の転写装置では、前記支持軸の下方には、前記廃トナーを収容する廃トナー収容部が設けられていることが好ましい。
これにより、廃トナーを確実に収容（回収）することができ、よって、転写装置から取り除くことができる。
【００１３】
本発明の転写装置では、前記支持軸は、前記開口部と、内部に前記開口部から入った前記廃トナーを蓄積する蓄積部とを有することが好ましい。
これにより、開口部を通過した廃トナーを蓄積部に確実に収容（蓄積）することができ、よって、廃トナーが支持軸に堆積するのをより確実に防止することができる。
本発明の画像形成装置は、本発明の転写装置を備えたことを特徴とする。
これにより、廃トナーが支持軸付近に堆積するのを確実に防止することができ、よって、廃トナーがトナー像担持体に再付着するのを防止することができる。
【発明を実施するための最良の形態】
【００１４】
以下、本発明の転写装置および画像形成装置を添付図面に示す好適な実施形態に基づいて詳細に説明する。
＜第１実施形態＞
図１は、本発明の転写装置の第１実施形態を示す断面図、図２は、図１に示す転写装置の斜視図、図３は、図１に示す転写装置が有するクリーニング装置の拡大断面図、図４は、図２に示す転写装置の支持軸に設けられた開口部の構成例を示す図、図５は、図２に示す転写装置の連結部材に設けられた開口部の構成例を示す図、図８は、本発明の画像形成装置を示す断面図である。なお、以下では、説明の都合上、図１〜図３中の上側を「上」または「上方」、下側を「下」または「下方」と言う。
まず、中間転写装置（転写装置）７について説明する。
【００１５】
[中間転写装置]
図８に示すように、中間転写装置７は、駆動ローラ９および従動ローラ１０と、両ローラにより図示矢印方向に駆動される中間転写ベルト（トナー像担持体）１１と、中間転写ベルト１１の裏面で感光体３に対向して配設された一次転写ローラ１２と、中間転写ベルト１１に残留するトナーを除去するクリーニング装置（クリーニング手段）４０と、駆動ローラ９に対向して配設され、中間転写ベルト１１に形成された４色フルカラー像を記録媒体（紙等）上に転写するための二次転写ローラ１４とを有している。
【００１６】
図１〜図３に示すように、クリーニング装置４０は、中間転写ベルト１１に当接した状態で中間転写ベルト１１からトナーを除去するクリーニングブレード４１と、クリーニングブレード４１を回動可能に支持する支持軸４３と、クリーニングブレード４１と支持軸４３とを連結する連結部材４２と、支持軸４３を回動する駆動機構（アクチュエータ）５０とを有している。
【００１７】
図１〜図３に示すように、支持軸４３は、平面視で外形がほぼ四角形をなす筒状体であり、上面４３ａおよび下面４３ｂに複数の開口部４４が形成されている。
図３に示すように、支持軸４３は、横断面形状がコ字状をなすコ字状部材４３１および４３２を有している。この支持軸４３では、コ字状部材４３１とコ字状部材４３２とが、コ字状部材４３１の開口４３４にコ字状部材４３２の一辺４３７が挿入されるとともに、コ字状部材４３２の開口４３５にコ字状部材４３１の一辺４３６が挿入されるように、組立てられている（以下、この状態を「組立状態」という）。このような組立により、支持軸４３が筒状をなすこととなる。これにより、例えば中間転写ベルト１１に対するクリーニングブレード４１の当接・離間に伴なう、支持軸４３の捩れに対する強度を確保することができる。
【００１８】
また、コ字状部材４３１およびコ字状部材４３２は、それぞれ、一辺が平面状をなしていることにより、例えば加工がし易くなり、よって、複数の開口部４４を容易に形成（加工）することができる。
図３に示すように、組立状態で、コ字状部材４３１および４３２は、互いに複数のネジ４３３により接合固定されている。このようにコ字状部材４３１、４３２を複数のネジ４３３で留める場合、各ネジ４３３の頭部４３３ａは、支持軸４３（コ字状部材４３１および４３２）に対し中間転写ベルト１１から遠位側に位置する、すなわち、下面４３ｂ側に位置するのが好ましい。これにより、廃トナーが各頭部４３３ａに付着して、当該各頭部４３３ａの周辺に廃トナーが堆積することを確実に防止することができる。
このような構成の支持軸４３を駆動機構５０の作動によって回動させることにより、クリーニングブレード４１が中間転写ベルト１１に対して当接・離間するよう構成されている（図１および図２参照）。
【００１９】
さて、前述したように、支持軸４３には、複数の開口部４４が設けられている。各開口部４４の大きさは、廃トナーが通過し得る大きさであれば、特に限定されない。
また、開口部４４は、上面４３ａおよび下面４３ｂにそれぞれ複数設けられているのに限定されず、例えば、図４（ａ）に示すように、支持軸４３の長手方向に沿った長尺状をなす１つのものであってもよい。
【００２０】
また、開口部４４は、上面４３ａおよび下面４３ｂにそれぞれ複数設けられているが、その配置は、特に限定されない。例えば、図４（ｂ）に示すように、長方形の開口部４４が支持軸４３の長手方向に沿って複数配列されていてもよい。また、例えば、図４（ｃ）に示すように、スリット状の開口部４４が支持軸４３の幅方向に沿って複数（図示では、２つ）配列（並列）されていてもよい。
【００２１】
このような開口部４４を設けることにより、クリーニングブレード４１によって中間転写ベルト１１から掻き落とされた廃トナーが各開口部４４を通過することとなり、よって、支持軸４３に堆積するのを確実に防止することができる。また、これにより、廃トナーの中間転写ベルト１１への再付着を防止することができ、よって、中間転写ベルト１１の汚染を確実に防止することができる。
【００２２】
図２および図５（ａ）に示すように、連結部材４２には、長尺状をなす１つの開口部４５が形成されている。この開口部４５の大きさは、廃トナーが通過し得る大きさであれば、特に限定されない。
また、開口部４５の形成数は、１つであるのに限定されず、例えば、複数であってもよい。開口部４５が複数設けられている場合、その配置は、特に限定されない。例えば、図５（ｂ）に示すように、長尺状の複数の開口部４５が連結部材４２の上下方向に沿って並列して配置されていてもよい。また、例えば、図５（ｃ）に示すように、スリット状の複数の開口部４５が連結部材４２の長手方向（支持軸４３の軸方向）に沿って分散配置されていてもよい。
【００２３】
このような開口部４５を設けることにより、クリーニングブレード４１によって中間転写ベルト１１から掻き落とされた廃トナーが開口部４５を通過することとなり、よって、支持軸４３付近に堆積するのを確実に防止することができる。また、これにより、廃トナーの中間転写ベルト１１への再付着を防止することができ、よって、中間転写ベルト１１の汚染を確実に防止することができる。
図１に示すように、支持軸４３の下方には、廃トナーを収容する第１の廃トナー収容部（廃トナー収容部）４６が設けられている。
開口部４４や開口部４５を通過した廃トナーは、第１の廃トナー収容部４６に確実に収容（回収）され、よって、中間転写装置７から取り除くことができる。
【００２４】
次に、中間転写装置７を備えた画像形成装置１について、図８を参照して説明する。
［画像形成装置］
画像形成装置１の装置本体２内には、感光体ドラムで構成される感光体３が配設されている。この感光体３は、図示しない駆動手段によって図示矢印方向に回転駆動される。感光体３の周囲には、その回転方向に沿って、感光体３を一様に帯電するための帯電装置４と、感光体３上に静電潜像を形成するための露光装置５と、静電潜像を現像するためのロータリー現像装置６と、感光体３上に形成されたトナー像を一次転写するための中間転写装置７とが配設されている。
【００２５】
ロータリー現像装置６は、イエロー用現像装置６Ｙ、マゼンタ用現像装置６Ｍ、シアン用現像装置６Ｃおよびブラック用現像装置６Ｋが支持フレーム８に装着され、支持フレーム８は図示しない駆動モータにより回転駆動される構成になっている。これらの複数の現像装置６Ｙ、６Ｃ、６Ｍ、６Ｋは、感光体３の１回転毎に選択的に１つの現像装置の現像ローラ６ａが感光体３に対向するように回転移動するようにされている。なお、各現像装置６Ｙ、６Ｃ、６Ｍ、６Ｋには各色のトナーが収納されたトナー収納部が形成されている。
【００２６】
装置本体２の底部には給紙カセット１５が配設され、給紙カセット１５内の記録媒体は、ピックアップローラ１６、記録媒体搬送路１７、二次転写ローラ１４、定着装置１９を経て排紙トレイ２０に搬送されるように構成されている。
定着装置１９は、熱源を有する定着ローラ２１とこれに圧接される加圧ローラ２２とを有し、定着ローラ２１と加圧ローラ２２の軸を結ぶ線は水平線からθの角度を有するように配置されている。なお、０°≦θ≦３０°である。
【００２７】
次に、上記のような構成の画像形成装置１の作用について説明する。
図示しないコンピュータからの画像形成信号が入力されると、感光体３、ロータリー現像装置６の現像ローラ６ａおよび中間転写ベルト１１が回転駆動し、先ず、感光体３の外周面が帯電装置４によって一様に帯電され、一様に帯電された感光体３の外周面に、露光装置５によって第１色目（例えばイエロー）の画像情報に応じた選択的な露光がなされ、イエローの静電潜像が形成される。
【００２８】
感光体３上に形成された潜像位置には、イエロー用現像装置６Ｙが回動してその現像ローラ６ａが当接し、これによってイエローの静電潜像のトナー像が感光体３上に形成され、次に、感光体３上に形成されたトナー像は一次転写ローラ１２により中間転写ベルト１１上に転写される。これにより、中間転写ベルト１１にトナー像が担持される。また、このとき、二次転写ローラ１４は中間転写ベルト１１から離間されている。
【００２９】
上記の処理が画像形成信号の第２色目、第３色目、第４色目に対応して、感光体３と中間転写ベルト１１の１回転による潜像形成、現像、転写が繰り返され、画像形成信号の内容に応じた４色のトナー像が中間転写ベルト１１上において重ねられて転写される。そして、このフルカラー画像が二次転写ローラ１４に達するタイミングで、記録媒体が搬送路１７から二次転写ローラ１４に供給され、このとき、二次転写ローラ１４が中間転写ベルト１１に押圧されるとともに二次転写電圧が印加され、中間転写ベルト１１上のフルカラートナー像が記録媒体上に転写される。そして、この記録媒体上に転写されたトナー像は定着装置１９により加熱加圧され定着される。
【００３０】
また、中間転写ベルト１１上に残留しているトナーは、クリーニング装置４０によって除去されるが、前述したような構成により、支持軸４３付近に堆積するのが防止される。これにより、廃トナーが中間転写ベルト１１への再付着するのが防止され、よって、中間転写ベルト１１の汚染が防止されて、良好な画像形成を行うことができる。
また、両面印刷の場合には、定着装置１９を出た記録媒体は、その後端が先端となるようにスイッチバックされ、両面印刷用搬送路２３を経て、二次転写ローラ１４に供給され、中間転写ベルト１１上のフルカラートナー像が記録媒体上に転写され、再び定着装置１９により加熱加圧され定着される。
【００３１】
＜第２実施形態＞
図６は、本発明の転写装置の第２実施形態を示す断面図である。
以下、この図を参照して本発明の転写装置の第２実施形態について説明するが、前述した実施形態との相違点を中心に説明し、同様の事項はその説明を省略する。
本実施形態は、連結部材の形状が異なること以外は前記第１実施形態と同様である。
【００３２】
図６に示すように、連結部材４２Ａは、その支持軸４３側の端部４２１が中間転写ベルト１１から遠ざかる方向に、湾曲または屈曲（図示では、湾曲）している。これにより、支持軸４３が、連結部材４２Ａの端部４２１と同様に、中間転写ベルト１１から遠ざかることとなり、よって、廃トナーが支持軸４３付近に付着（堆積）するのをより確実に防止することができる。
【００３３】
＜第３実施形態＞
図７は、本発明の転写装置の第３実施形態を示す断面図である。
以下、この図を参照して本発明の転写装置の第３実施形態について説明するが、前述した実施形態との相違点を中心に説明し、同様の事項はその説明を省略する。
本実施形態は、支持軸の構成が異なること以外は前記第１実施形態と同様である。
【００３４】
図７に示すように、支持軸４３Ａは、上面４３ａのみに形成された開口部４４と、内部に開口部４４から入った廃トナーを蓄積する第２の廃トナー収容部（蓄積部）４９とを有している。
また、第２の廃トナー収容部４９は、支持軸４３Ａの中空部で構成されている。これにより、第２の廃トナー収容部４９を別体として設けるのが省略され、中間転写装置７の省スペース化に寄与する。
【００３５】
このような構成の支持軸４３Ａにより、開口部４４を通過した廃トナーを第２の廃トナー収容部４９に確実に収容（蓄積）することができ、よって、廃トナーが支持軸４３Ａに堆積するのをより確実に防止することができる。
なお、支持軸４３の両端部は、例えばキャップ（図示せず）で塞がれていることが好ましい。これにより、収容した廃トナーが外部へこぼれることを防止することができる。
【００３６】
以上、本発明の転写装置および画像形成装置を図示の実施形態について説明したが、本発明は、これに限定されるものではなく、転写装置および画像形成装置を構成する各部は、同様の機能を発揮し得る任意の構成のものと置換することができる。また、任意の構成物が付加されていてもよい。
また、本発明の転写装置は、前記各実施形態のうちの、任意の２以上の構成（特徴）を組み合わせたものであってもよい。
例えば、前記第２実施形態の支持軸が、前記第３実施形態の支持軸のような第２の廃トナー収容部を有していてもよい。
【００３７】
また、例えば、前記第３実施形態の連結部材が、前記第２実施形態の連結部材のように、湾曲または屈曲していてもよい。
また、開口部は、支持軸および連結部材に、それぞれ、設けられているのに限定されず、例えば、支持軸のみに設けられていてもよいし、連結部材のみに設けられていてもよい。
また、コ字状部材同士を接合するネジは、その頭部が支持軸に対し中間転写ベルトから遠位側に位置するのに限定されず、例えば、支持軸の中空部内に位置してもよい。
【図面の簡単な説明】
【００３８】
【図１】本発明の転写装置の第１実施形態を示す断面図である。
【図２】図１に示す転写装置の斜視図である。
【図３】図１に示す転写装置が有するクリーニング装置の拡大断面図である。
【図４】図２に示す転写装置の支持軸に設けられた開口部の構成例を示す図である。
【図５】図２に示す転写装置の連結部材に設けられた開口部の構成例を示す図である。
【図６】本発明の転写装置の第２実施形態を示す断面図である。
【図７】本発明の転写装置の第３実施形態を示す断面図である。
【図８】本発明の画像形成装置を示す断面図である。
【図９】従来の転写装置を示す断面図である。
【符号の説明】
【００３９】
１……画像形成装置  ２……装置本体  ３……感光体  ４……帯電装置  ５……露光装置  ６……ロータリー現像装置  ６Ｙ……イエロー用現像装置  ６Ｍ……マゼンタ用現像装置  ６Ｃ……シアン用現像装置  ６Ｋ……ブラック用現像装置  ６ａ……現像ローラ  ７……中間転写装置  ８……支持フレーム  ９……駆動ローラ  １０……従動ローラ  １１……中間転写ベルト（トナー像担持体）  １２……一次転写ローラ  １４……二次転写ローラ  １５……給紙カセット  １６……ピックアップローラ  １７……記録媒体搬送路  １９……定着装置  ２０……排紙トレイ  ２１……定着ローラ  ２２……加圧ローラ  ２３……両面印刷用搬送路  ４０……クリーニング装置（クリーニング手段）  ４１……クリーニングブレード  ４２、４２Ａ……連結部材  ４２１……端部  ４３、４３Ａ……支持軸  ４３ａ……上面  ４３ｂ……下面  ４３１、４３２……コ字状部材  ４３３……ネジ  ４３３ａ……頭部  ４３４、４３５……開口  ４３６、４３７……一辺  ４４、４５……開口部  ４６……第１の廃トナー収容部（廃トナー収容部）  ４９……第２の廃トナー収容部（蓄積部）  ５０…………駆動機構（アクチュエータ）  １００……クリーニング装置  １１０……中間転写体ベルト  １３０……クリーニングブレード  １４０……ブレード支持部材  １５０……カム機構
【図１】
2006267232.tif 000003
【図２】
2006267232.tif 000004
【図３】
2006267232.tif 000005
【図４】
2006267232.tif 000006
【図５】
2006267232.tif 000007
【図６】
2006267232.tif 000008
【図７】
2006267232.tif 000009
【図８】
2006267232.tif 000010
【図９】
2006267232.tif 000011